(57)【要約】【課題】切断中の開封線が開封予定線に沿って進行しやすく且つ開封後の開封線を表裏のフィルムで異なる位置に形成する。【解決手段】包装袋Ａは、表側フィルム１及び裏側フィルム２を備える。表側フィルム１及び裏側フィルム２には、表側フィルム１及び裏側フィルム２が左側縁側においてシールされた左サイドシール部３と、表側フィルム１及び裏側フィルム２が右側縁側においてシールされた右サイドシール部４とが設けられている。裏側フィルム２には、直線状を呈する裏側ハーフカット線８が形成されている。表側フィルム１には、楕円形状を呈する複数の表側ハーフカット線７が形成されている。複数の表側ハーフカット線７と裏側ハーフカット線８とは、裏側ハーフカット線８が複数の表側ハーフカット線７と交差するように互いに重なり合っている。【選択図】図１
2016094248.tif 000002
【特許請求の範囲】
【請求項１】
互いに重ね合わされた状態で周縁同士が部分的にシールされている表側フィルム及び裏側フィルムを備え、
前記表側フィルム及び前記裏側フィルムはそれぞれ、第１の方向に沿って延びる一対の第１及び第２の側縁を有し、
前記表側フィルム及び前記裏側フィルムには、
前記表側フィルム及び前記裏側フィルムが前記第１の側縁側においてシールされている第１のシール部と、
前記表側フィルム及び前記裏側フィルムが前記第２の側縁側においてシールされている第２のシール部とが設けられ、
前記裏側フィルムには、前記第１の側縁と前記第２の側縁との間において前記第１の方向に交差する第２の方向に沿って直線状に延びる裏側ハーフカット線が形成され、
前記表側フィルムには、環状を呈する複数の表側ハーフカット線が形成され、
前記複数の表側ハーフカット線は前記第２の方向に並んでおり、
前記複数の表側ハーフカット線と前記裏側ハーフカット線とは、前記裏側ハーフカット線が前記複数の表側ハーフカット線と交差するように互いに重なり合っている、包装袋。
【請求項２】
前記複数の表側ハーフカット線は、前記第１の側縁側に位置する第１の点から上下に分岐して第２の側縁側に位置する第２の点に収束する紡錘状、楕円形状又は菱形状を呈する、請求項１に記載の包装袋。
【請求項３】
前記複数の表側ハーフカット線のうち隣り合う２つの表側ハーフカット線において、前記第１の側縁側に位置する前記表側ハーフカット線の前記第２の点と、前記第２の側縁側に位置する前記表側ハーフカット線の前記第１の点とが接続されている、請求項２に記載の包装袋。
【請求項４】
前記表側ハーフカット線は、
前記第１の点から上下に分岐する一対の第１の基線部と、
前記第２の点に収束する一対の第２の基線部と、
前記一対の第１の基線部及び前記一対の第２の基線部のうち上側に位置する第１及び第２の基線部から上側に屈曲して当該第１及び第２の基線部よりも上側に膨出する第１の膨出部と、
前記一対の第１の基線部及び前記一対の第２の基線部のうち下側に位置する第１及び第２の基線部から下側に屈曲して当該第１及び第２の基線部よりも下側に膨出する第２の膨出部とを含む、請求項２又は３に記載の包装袋。
【請求項５】
前記複数の表側ハーフカット線のうち隣り合う２つの表側ハーフカット線は、部分的に重なり合っている、請求項２に記載の包装袋。
【請求項６】
前記複数の表側ハーフカット線は互いに離間している、請求項２に記載の包装袋。
【請求項７】
前記表側フィルムには、前記複数の表側ハーフカット線のうち隣り合う２つの表側ハーフカット線を接続する線状の中間ハーフカット線が形成されている、請求項６に記載の包装袋。
【請求項８】
前記複数の表側ハーフカット線のうち一の表側ハーフカット線は、他の表側ハーフカット線と異なる形状又は大きさである、請求項１〜７のいずれか一項に記載の包装袋。
【請求項９】
前記複数の表側ハーフカット線のうち前記第２の方向において前記表側フィルムの中央側に位置する表側ハーフカット線は、前記複数の表側ハーフカット線のうち前記第２の方向において前記第１及び第２の側縁側に位置する表側ハーフカット線よりも大きい、請求項１〜８のいずれか一項に記載の包装袋。
【請求項１０】
前記複数の表側ハーフカット線は、前記表側フィルムのうち前記裏側フィルムとシールされていない非シール部に位置している、請求項１〜９のいずれか一項に記載の包装袋。
【請求項１１】
前記複数の表側ハーフカット線のうち最も前記第１の側縁寄りに位置する表側ハーフカット線の少なくとも一部は、前記第１のシール部に位置し、
前記複数の表側ハーフカット線のうち最も前記第２の側縁寄りに位置する表側ハーフカット線の少なくとも一部は、前記第２のシール部に位置している、請求項１〜９のいずれか一項に記載の包装袋。
【請求項１２】
前記表側フィルムには、
前記複数の表側ハーフカット線のうち最も前記第１の側縁寄りに位置する表側ハーフカット線の前記第１の側縁側の部分から前記第１の側縁に向けて延びる線状の第１の側縁ハーフカット線と、
前記複数の表側ハーフカット線のうち最も前記第２の側縁寄りに位置する表側ハーフカット線の前記第２の側縁側の部分から前記第２の側縁に向けて延びる線状の第２の側縁ハーフカット線とが形成されている、請求項１〜１１のいずれか一項に記載の包装袋。
【請求項１３】
前記表側フィルムには、
前記各表側ハーフカット線のうち前記第２の側縁側の部分又は当該部分の近傍から前記第１の側縁側に向けて延びる第１のガイド用ハーフカット線と、
前記各表側ハーフカット線のうち前記第１の側縁側の部分又は当該部分の近傍から前記第２の側縁側に向けて延びる第２のガイド用ハーフカット線とが形成されており、
前記第１及び第２のガイド用ハーフカット線の一方は当該表側ハーフカット線の上側に位置し、前記第１及び第２のガイド用ハーフカット線の他方は当該表側ハーフカット線の下側に位置する、請求項１〜１２のいずれか一項に記載の包装袋。
【請求項１４】
前記表側フィルムには、
前記複数の表側ハーフカット線の上側近傍に位置するように又は前記複数の表側ハーフカット線の上側と接するように、前記第１の側縁と前記第２の側縁との間で延びる線状の第１のガイド用ハーフカット線と、
前記複数の表側ハーフカット線の下側近傍に位置するように又は前記複数の表側ハーフカット線の下側と接するように、前記第１の側縁と前記第２の側縁との間で延びる線状の第２のガイド用ハーフカット線とが形成されている、請求項１〜１２のいずれか一項に記載の包装袋。
【請求項１５】
前記第１のシール部には、前記第１の側縁と、前記複数の表側ハーフカット線のうち最も前記第１の側縁寄りに位置する表側ハーフカット線との間に、第１の引き裂き開始部が設けられ、
前記第２のシール部には、前記第２の側縁と、前記複数の表側ハーフカット線のうち最も前記第２の側縁寄りに位置する表側ハーフカット線との間に、第２の引き裂き開始部が設けられている、請求項１〜１４のいずれか一項に記載の包装袋。
【請求項１６】
前記表側フィルム及び前記裏側フィルムのうち前記第１の側縁側には、前記第１の引き裂き開始部を囲むように前記第１の引き裂き開始部の上下に位置する一対の第３のガイド用ハーフカット線が形成されており、
前記表側フィルム及び前記裏側フィルムのうち前記第２の側縁側には、前記第２の引き裂き開始部を囲むように前記第２の引き裂き開始部の上下に位置する一対の第４のガイド用ハーフカット線が形成されており、
前記一対の第３のガイド用ハーフカット線は、前記第２の方向において前記複数の表側ハーフカット線側に向かうにつれて互いに近づいており、
前記一対の第４のガイド用ハーフカット線は、前記第２の方向において前記複数の表側ハーフカット線側に向かうにつれて互いに近づいている、請求項１５に記載の包装袋。
【請求項１７】
互いに重ね合わされた状態で周縁同士が部分的にシールされている表側フィルム及び裏側フィルムを備え、
前記表側フィルム及び前記裏側フィルムはそれぞれ、第１の方向に沿って延びる一対の第１及び第２の側縁を有し、
前記裏側フィルムには、前記第１の側縁と前記第２の側縁との間において前記第１の方向に交差する第２の方向に沿って直線状に延びる裏側ハーフカット線が形成され、
前記表側フィルムには、環状を呈する表側ハーフカット線が形成され、
前記表側ハーフカット線と前記裏側ハーフカット線とは互いに重なり合っており、
前記表側ハーフカット線は、
前記第１の側縁側に位置する第１の点から上下に分岐する一対の第１の基線部と、
前記第２の側縁側に位置する第２の点に収束する一対の第２の基線部と、
前記一対の第１の基線部及び前記一対の第２の基線部のうち上側に位置する第１及び第２の基線部から上側に屈曲して当該第１及び第２の基線部よりも上側に膨出する第１の膨出部と、
前記一対の第１の基線部及び前記一対の第２の基線部のうち下側に位置する第１及び第２の基線部から下側に屈曲して当該第１及び第２の基線部よりも下側に膨出する第２の膨出部とを含む、包装袋。
【発明の詳細な説明】
【技術分野】
【０００１】
本開示は、包装袋に関する。
【背景技術】
【０００２】
従来から、内容物を収容した包装袋を開封しやすくするために、包装袋の開封予定線の左右両端部、または、いずれかの端部にノッチを設け、開封予定線に直線状のハーフカットを包装袋の表裏２枚のフィルムそれぞれに設けた包装袋があった。これらの包装袋は、ノッチの上下それぞれを指で摘んで、直線状のハーフカットに沿って引っ張ると容易に引き裂かれて開封することができる。
【０００３】
しかし、包装袋の引き裂かれた開封線が表裏のフィルムで同一位置にある。そのため、内容物を取り出したりするために口を開こうとして指で表裏のフィルムをそれぞれ摘もうとしても、重なり合った表裏フィルムの間に指を入れることが難しい。従って、包装袋を容易に開封できたとしても、開封された口を開くことが容易でない場合がある。
【０００４】
そこで、特許文献１〜３は、表側フィルムと裏側フィルムに、異なる開封予定線（ハーフカット線）を設けて、開封後の開封線が表側フィルムと裏側フィルムとで同一位置にならないようにして、開封された口を指で摘みやすく、口開きを容易にした包装袋を開示している。
【先行技術文献】
【特許文献】
【０００５】
【特許文献１】特開２００１−２４００７４号公報
【特許文献２】特開２００５−２８９３９６号公報
【特許文献３】特開２０１４−０５１３１０号公報
【発明の概要】
【発明が解決しようとする課題】
【０００６】
しかしながら、引裂いた開封線が開封予定線から外れてしまうと、開封後の開封線が表側フィルム及び裏側フィルムで同一位置になってしまう場合がある。この場合、結局、開封された口が指で摘み難くなりうる。
【０００７】
そこで、本開示は、切断中の開封線が開封予定線に沿って進行しやすく且つ開封後の開封線を表側フィルム及び裏側フィルムで異なる位置に形成することが可能な包装袋を説明する。
【課題を解決するための手段】
【０００８】
本開示の一つの観点に係る包装袋は、互いに重ね合わされた状態で周縁同士が部分的にシールされている表側フィルム及び裏側フィルムを備え、表側フィルム及び裏側フィルムはそれぞれ、第１の方向に沿って延びる一対の第１及び第２の側縁を有し、表側フィルム及び裏側フィルムには、表側フィルム及び裏側フィルムが第１の側縁側においてシールされている第１のシール部と、表側フィルム及び裏側フィルムが第２の側縁側においてシールされている第２のシール部とが設けられ、裏側フィルムには、第１の側縁と第２の側縁との間において第１の方向に交差する第２の方向に沿って直線状に延びる裏側ハーフカット線が形成され、表側フィルムには、環状を呈する複数の表側ハーフカット線が形成され、複数の表側ハーフカット線は第２の方向に並んでおり、複数の表側ハーフカット線と裏側ハーフカット線とは、裏側ハーフカット線が複数の表側ハーフカット線と交差するように互いに重なり合っている。
【０００９】
本開示の一つの観点に係る包装袋では、第１の側縁と第２の側縁との間において第２の方向に沿って直線状に延びる裏側ハーフカット線が、裏側フィルムに形成されている。そのため、裏側フィルムは、裏側ハーフカット線に沿って直線的に切断される。すなわち、裏側フィルムの引き裂かれた開封線は、直線状を呈する。
【００１０】
一方、本開示の一つの観点に係る包装袋では、環状を呈する複数の表側ハーフカット線が第２の方向に沿って並ぶように、表側フィルムに形成されている。そのため、表側フィルムにおいて、環状を呈する一の表側ハーフカット線の上側が引き裂かれると、切断中の開封線は、当該一の表側ハーフカット線において、隣り合う他の表側ハーフカット線に向かうにつれて一度上側に向けて膨れた後に下側に向かう。従って、切断中の開封線が当該他の表側ハーフカット線に到達すると、環状を呈する当該他の表側ハーフカット線の下側が引き裂かれる。換言すれば、表側フィルムにおいて、切断中の開封線は、表側ハーフカット線の上側と下側とに沿って進行しやすい傾向にある。その結果、表側フィルムは、表側ハーフカット線の上側と下側とが交互に切断される。すなわち、表側フィルムの引き裂かれた開封線は、凹凸状を呈する。
【００１１】
さらに、本開示の一つの観点に係る包装袋では、複数の表側ハーフカット線と裏側ハーフカット線とは、裏側ハーフカット線が複数の表側ハーフカット線と交差するように互いに重なり合っている。そのため、表側フィルムのうち表側ハーフカット線の上側が引き裂かれて生ずる開封線は、裏側フィルムが引き裂かれて生ずる開封線よりも上側に突出する突出部を有する。表側フィルムのうち表側ハーフカット線の下側が引き裂かれて生ずる開封線は、裏側フィルムが引き裂かれて生ずる開封線よりも下側に窪む窪み部を有する。従って、開封後の開封線を、表側フィルムと裏側フィルムとで異なる位置に形成することが可能となる。
【００１２】
以上より、本開示の一つの観点に係る包装袋では、表側フィルムの突出部と、窪み部に対応する裏側フィルムの部分とにそれぞれ指を引っ掛けやすくなる。従って、本開示の一つの観点に係る包装袋によれば、表側フィルム及び裏側フィルムの開封後の開封線をそれぞれ指で摘みやすく、容易に口開きを行うことが可能となる。
【００１３】
複数の表側ハーフカット線は、第１の側縁側に位置する第１の点から上下に分岐して第２の側縁側に位置する第２の点に収束する紡錘状、楕円形状又は菱形状を呈していてもよい。この場合、表側フィルムにおいて、切断中の開封線が、表側ハーフカット線の上側と下側とに沿ってより進行しやすくなる。
【００１４】
複数の表側ハーフカット線のうち隣り合う２つの表側ハーフカット線において、第１の側縁側に位置する表側ハーフカット線の第２の点と、第２の側縁側に位置する表側ハーフカット線の第１の点とが接続されていてもよい。この場合、切断中の開封線が、表側ハーフカット線の上側と下側とに沿ってさらに進行しやすくなる。
【００１５】
表側ハーフカット線は、第１の点から上下に分岐する一対の第１の基線部と、第２の点に収束する一対の第２の基線部と、一対の第１の基線部及び一対の第２の基線部のうち上側に位置する第１及び第２の基線部から上側に屈曲して当該第１及び第２の基線部よりも上側に膨出する第１の膨出部と、一対の第１の基線部及び一対の第２の基線部のうち下側に位置する第１及び第２の基線部から下側に屈曲して当該第１及び第２の基線部よりも下側に膨出する第２の膨出部とを含んでいてもよい。この場合、基線部は、膨出部よりも裏側ハーフカット線に対する角度が小さくなる。第１又は第２の側縁から引き裂きが開始された場合、切断中の開封線は、膨出部ではなく、まず基線部に到達するので、表側フィルムと裏側フィルムとで、切断中の開封線の進行方向が大きく異なってしまうことが抑制される。そのため、切断中の開封線が、表側ハーフカット線に沿っていっそう進行しやすくなる。一方、表側ハーフカット線は膨出部を含んでいるので、表側フィルムの突出部及び窪み部の大きさが大きくなる。そのため、表側フィルムの突出部と、窪み部に対応する裏側フィルムの部分とのそれぞれに指をさらに引っ掛けやすくなる。以上より、切断中の開封線を表側ハーフカット線に沿って進行させることと、表側フィルムにより大きな突出部及び窪み部を形成することという一見すると相反する事柄を、両立させることが可能となる。
【００１６】
複数の表側ハーフカット線のうち隣り合う２つの表側ハーフカット線は、部分的に重なり合っていてもよい。
【００１７】
複数の表側ハーフカット線は互いに離間していてもよい。
【００１８】
表側フィルムには、複数の表側ハーフカット線のうち隣り合う２つの表側ハーフカット線を接続する線状の中間ハーフカット線が形成されていてもよい。この場合、切断中の開封線が中間ハーフカット線によって隣り合う表側ハーフカット線の間において誘導される。そのため、複数の表側ハーフカット線が互いに離間していても、切断中の開封線が複数の表側ハーフカット線に沿って進行しやすくなる。
【００１９】
複数の表側ハーフカット線のうち一の表側ハーフカット線は、他の表側ハーフカット線と異なる形状又は大きさであってもよい。この場合、表側フィルム及び裏側フィルムの開封後の開封線のそれぞれをさらに指で摘みやすくなる。
【００２０】
複数の表側ハーフカット線のうち第２の方向において表側フィルムの中央側に位置する表側ハーフカット線は、複数の表側ハーフカット線のうち第２の方向において第１及び第２の側縁側に位置する表側ハーフカット線よりも大きくてもよい。この場合、表側フィルム及び裏側フィルムの開封後の開封線のそれぞれをいっそう指で摘みやすくなる。
【００２１】
複数の表側ハーフカット線は、表側フィルムのうち裏側フィルムとシールされていない非シール部に位置していてもよい。
【００２２】
複数の表側ハーフカット線のうち最も第１の側縁寄りに位置する表側ハーフカット線の少なくとも一部は、第１のシール部に位置し、複数の表側ハーフカット線のうち最も第２の側縁寄りに位置する表側ハーフカット線の少なくとも一部は、第２のシール部に位置していてもよい。この場合、表側ハーフカット線と側縁とが近接する。そのため、表側ハーフカット線と側縁とが離間していても、切断中の開封線が側縁から表側ハーフカット線に向けて進行しやすくなる。
【００２３】
表側フィルムには、複数の表側ハーフカット線のうち最も第１の側縁寄りに位置する表側ハーフカット線の第１の側縁側の部分から第１の側縁に向けて延びる線状の第１の側縁ハーフカット線と、複数の表側ハーフカット線のうち最も第２の側縁寄りに位置する表側ハーフカット線の第２の側縁側の部分から第２の側縁に向けて延びる線状の第２の側縁ハーフカット線とが形成されていてもよい。この場合、切断中の開封線が、側縁ハーフカット線によって、側縁と表側ハーフカット線との間において誘導される。そのため、表側ハーフカット線と側縁とが離間していても、切断中の開封線が側縁から表側ハーフカット線に向けて進行しやすくなる。
【００２４】
表側フィルムには、各表側ハーフカット線のうち第２の側縁側の部分又は当該部分の近傍から第１の側縁側に向けて延びる第１のガイド用ハーフカット線と、各表側ハーフカット線のうち第１の側縁側の部分又は当該部分の近傍から第２の側縁側に向けて延びる第２のガイド用ハーフカット線とが形成されており、第１及び第２のガイド用ハーフカット線の一方は当該表側ハーフカット線の上側に位置し、第１及び第２のガイド用ハーフカット線の他方は当該表側ハーフカット線の下側に位置していてもよい。この場合、切断中の開封線が表側ハーフカット線から外れてしまうことがあっても、外れた開封線はガイド用ハーフカット線によって表側ハーフカット線に誘導される。そのため、切断中の開封線が表側ハーフカット線に沿ってより進行しやすくなる。
【００２５】
表側フィルムには、複数の表側ハーフカット線の上側近傍に位置するように又は複数の表側ハーフカット線の上側と接するように、第１の側縁と第２の側縁との間で延びる線状の第１のガイド用ハーフカット線と、複数の表側ハーフカット線の下側近傍に位置するように又は複数の表側ハーフカット線の下側と接するように、第１の側縁と第２の側縁との間で延びる線状の第２のガイド用ハーフカット線とが形成されていてもよい。この場合、切断中の開封線が表側ハーフカット線から外れてしまうことがあっても、外れた開封線はガイド用ハーフカット線によって側縁まで誘導される。そのため、包装袋の開封により、包装袋に開口部がより形成されやすくなる。
【００２６】
第１のシール部には、第１の側縁と、複数の表側ハーフカット線のうち最も第１の側縁寄りに位置する表側ハーフカット線との間に、第１の引き裂き開始部が設けられ、第２のシール部には、第２の側縁と、複数の表側ハーフカット線のうち最も第２の側縁寄りに位置する表側ハーフカット線との間に、第２の引き裂き開始部が設けられていてもよい。この場合、引き裂き開始部により、軽い力で簡単に包装袋の引き裂きを開始することが可能となる。また、引き裂き開始部は表側ハーフカット線と側縁との間に位置しているので、引き裂き開始部から引き裂きを開始することにより、切断中の開封線をスムーズに表側ハーフカット線に誘導することが可能となる。
【００２７】
表側フィルム及び裏側フィルムのうち第１の側縁側には、第１の引き裂き開始部を囲むように第１の引き裂き開始部の上下に位置する一対の第３のガイド用ハーフカット線が形成されており、表側フィルム及び裏側フィルムのうち第２の側縁側には、第２の引き裂き開始部を囲むように第２の引き裂き開始部の上下に位置する一対の第４のガイド用ハーフカット線が形成されており、一対の第３のガイド用ハーフカット線は、第２の方向において複数の表側ハーフカット線側に向かうにつれて互いに近づいており、一対の第４のガイド用ハーフカット線は、第２の方向において複数の表側ハーフカット線側に向かうにつれて互いに近づいていてもよい。この場合、引き裂き開始部において生じた切断中の開封線が表側ハーフカット線又は裏側ハーフカット線に向かって進行しないことがあっても、引き裂き開始部がガイド用ハーフカット線によって囲まれているので、切断中の開封線は、ガイド用ハーフカット線によって表側ハーフカット線又は裏側ハーフカット線に向けて誘導される。そのため、切断中の開封線をよりスムーズに表側ハーフカット線又は裏側ハーフカット線に誘導することが可能となる。
【００２８】
本開示の他の観点に係る包装袋は、互いに重ね合わされた状態で周縁同士が部分的にシールされている表側フィルム及び裏側フィルムを備え、表側フィルム及び裏側フィルムはそれぞれ、第１の方向に沿って延びる一対の第１及び第２の側縁を有し、裏側フィルムには、第１の側縁と第２の側縁との間において第１の方向に交差する第２の方向に沿って直線状に延びる裏側ハーフカット線が形成され、表側フィルムには、環状を呈する表側ハーフカット線が形成され、表側ハーフカット線と裏側ハーフカット線とは互いに重なり合っており、表側ハーフカット線は、第１の側縁側に位置する第１の点から上下に分岐する一対の第１の基線部と、第２の側縁側に位置する第２の点に収束する一対の第２の基線部と、一対の第１の基線部及び一対の第２の基線部のうち上側に位置する第１及び第２の基線部から上側に屈曲して当該第１及び第２の基線部よりも上側に膨出する第１の膨出部と、一対の第１の基線部及び一対の第２の基線部のうち下側に位置する第１及び第２の基線部から下側に屈曲して当該第１及び第２の基線部よりも下側に膨出する第２の膨出部とを含む。
【００２９】
本開示の他の観点に係る包装袋では、表側ハーフカット線と裏側ハーフカット線とが互いに重なり合っている。そのため、表側フィルムのうち表側ハーフカット線の上側が引き裂かれて生ずる開封線は、裏側フィルムが引き裂かれて生ずる開封線よりも上側に突出する突出部を有する。表側フィルムのうち表側ハーフカット線の下側が引き裂かれて生ずる開封線は、裏側フィルムが引き裂かれて生ずる開封線よりも下側に窪む窪み部を有する。従って、開封後の開封線を、表側フィルムと裏側フィルムとで異なる位置に形成することが可能となる。
【００３０】
また、本開示の他の観点に係る包装袋では、表側ハーフカット線が、一対の第１の基線部と、一対の第２の基線部と、一対の第１の基線部及び一対の第２の基線部のうち上側に位置する第１及び第２の基線部を接続して当該第１及び第２の基線部よりも上側に膨出する第１の膨出部と、一対の第１の基線部及び一対の第２の基線部のうち下側に位置する第１及び第２の基線部を接続して当該第１及び第２の基線部よりも下側に膨出する第２の膨出部とを含んでいる。そのため、基線部は、膨出部よりも裏側ハーフカット線に対する角度が小さくなる。第１又は第２の側縁から引き裂きが開始された場合、切断中の開封線は、膨出部ではなく、まず基線部に到達するので、表側フィルムと裏側フィルムとで、切断中の開封線の進行方向が大きく異なってしまうことが抑制される。従って、切断中の開封線が、表側ハーフカット線に沿って進行しやすくなる。一方、表側ハーフカット線は膨出部を含んでいるので、表側フィルムの突出部又は窪み部の大きさが大きくなる。そのため、表側フィルムの突出部に指を引っ掛けやすくなるか、又は、窪み部に対応する裏側フィルムの部分に指を引っ掛けやすくなる。以上より、切断中の開封線を表側ハーフカット線に沿って進行させることと、表側フィルムにより大きな突出部又は窪み部を形成することという一見すると相反する事柄を、両立させることが可能となる。
【００３１】
本開示の他の観点に係る包装袋は、表側フィルムと裏側フィルムを重ね合わせ、重ね合わせた表側フィルムと裏側フィルムの周縁部をシールした包装袋であって、表側フィルムと裏側フィルムのそれぞれに、開封するための切断を誘導する易切断線を、形の異なる表側易切断線と裏側易切断線とで設け、表側易切断線は、複数の楕円形のハーフカット線を線状に並べて形成されていて、その両端部が裏側易切断線の両端部と略同一の位置にあることを特徴とする。
【００３２】
複数の楕円形のハーフカット線の形や大きさが異なっていてもよい。
【００３３】
複数の楕円形のハーフカット線が連続していてもよい。
【００３４】
複数の楕円形のハーフカット線が交わっていてもよい。
【００３５】
複数の楕円形のハーフカット線がそれぞれ離れていてもよい。
【００３６】
隣り合う楕円形のハーフカット線の間が線状のハーフカット線でつながっていてもよい。
【００３７】
本開示の他の観点に係る包装袋は、更に、表側易切断線に接して、あるいは、その近傍にガイド用ハーフカット線が設けられていてもよい。
【００３８】
ガイド用ハーフカット線が楕円形のハーフカット線から外側に伸びて設けられていてもよい。
【００３９】
ガイド用ハーフカット線が複数の楕円形のハーフカット線の上または下に接して、線状に設けられていてもよい。
【００４０】
表側易切断線の左右両端が左右のサイドシール部に位置し、該サイドシール部の外端縁から表側易切断線に向かう引き裂き開始部が設けられていてもよい。
【発明の効果】
【００４１】
本開示に係る包装袋によれば、切断中の開封線が開封予定線に沿って進行しやすく且つ開封後の開封線を表側フィルム及び裏側フィルムで異なる位置に形成することが可能となる。
【図面の簡単な説明】
【００４２】
【図１】図１は、第１実施形態に係る包装袋を模式的に示す正面図である。
【図２】図２は、積層フィルムの一例を模式的に示す断面図である。
【図３】図３は、第２実施形態に係る包装袋を模式的に示す正面図である。
【図４】図４は、第３実施形態に係る包装袋を模式的に示す正面図である。
【図５】図５は、第４実施形態に係る包装袋を模式的に示す正面図である。
【図６】図６は、第５実施形態に係る包装袋を模式的に示す正面図である。
【図７】図７は、第６実施形態に係る包装袋を模式的に示す正面図である。
【図８】図８は、第７実施形態に係る包装袋を模式的に示す正面図である。
【図９】図９は、第８実施形態に係る包装袋を模式的に示す正面図である。
【図１０】図１０は、第９実施形態に係る包装袋を模式的に示す正面図である。
【図１１】図１１は、第１０実施形態に係る包装袋を模式的に示す正面図である。
【図１２】図１２は、第１１実施形態に係る包装袋を模式的に示す正面図である。
【図１３】図１３は、第１２実施形態に係る包装袋を模式的に示す正面図である。
【図１４】図１４は、第１３実施形態に係る包装袋を模式的に示す正面図である。
【図１５】図１５は、第１４実施形態に係る包装袋を模式的に示す正面図である。
【図１６】図１６は、第１５実施形態に係る包装袋を模式的に示す正面図である。
【発明を実施するための形態】
【００４３】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。また、上下左右等の位置関係は、特に断らない限り、図面に示す位置関係に基づくものとする。図面の寸法比率は、図示の比率に限られるものではない。
【００４４】
＜第１実施形態＞
第１実施形態の包装袋Ａは、図１のように、表側フィルム１と裏側フィルム２を重ね合わせ、重ね合わせた表側フィルム１と裏側フィルム２の周縁部をシールし、左サイドシール部３、右サイドシール部４、天シール部５、底シール部６を設けた包装袋である。
【００４５】
表側フィルム１および裏側フィルム２は、図２のように、基材層１０１とシーラント層１０２とを貼り合わせた積層フィルム１１０からなっている。基材層１０１やシーラント層１０２は、更に積層された多層になっていてもよい。
【００４６】
基材層１０１には、ナイロン、ポリエチレンテレフタレート、ポリプロピレン等の樹脂の２軸延伸、あるいは、１軸延伸、未延伸のプラスチックフィルムが好ましく使用できる。その場合の厚さは１２〜５０μｍ程度である。
【００４７】
また、金属や無機物を蒸着した蒸着フィルムを、基材層１０１として用いることもできる。また、これらを組み合わせて、基材層１０１を多層にして設けても良い。さらには、アルミ箔などの金属箔も、多層の基材層１０１の１層として設けることもできる。
【００４８】
シーラント層１０２には、熱溶融性樹脂が用いられる。ポリプロピレンや、低密度ポリエチレン、直鎖状低密度ポリエチレン、あるいは、酸変性ポリエチレンなどが用いられる。また、シーラント層１０２に多層の共押し出しフィルムを用いても良い。多層の共押し出しフィルムのシーラント層１０２としては、低密度ポリエチレンや高密度ポリエチレンを中間層として、両面に直鎖状低密度ポリエチレンの層を設けたものが好ましく用いられる。
【００４９】
シーラント層１０２の厚さは、内容物の量によって調整されうるが、８０μｍ〜２００μｍ程度であってもよいし、１００μｍ〜１５０μｍ程度であってもよい。
【００５０】
また、絵柄印刷層を基材層１０１の裏面などに設けることができる。また、多層の基材層１０１の場合は、基材層１０１の最外層のフィルムに絵柄印刷層を設けてもよい。絵柄印刷層を設ける印刷方式は、特に限定するものではないが、通常、グラビア印刷、あるいは、フレキソ印刷が用いられる。
【００５１】
易切断線はハーフカット線で設けることができる。ハーフカット線１０３は、ロール状などの金属刃を用いて、図２（Ａ）のように、表側から基材層１０１に入れることができる。この場合、基材層１０１の途中まで刃が入っていても、基材層１０１を越えて、シーラント層１０２の途中まで刃が入っていてもよい。
【００５２】
また、ハーフカット線１０３を基材層１０１側から照射するレーザー加工で設けることができる。用いるレーザーには炭酸ガスレーザーが好ましく用いられる。ハーフカット線をレーザー加工で設ける場合では、多層の基材層１０１の最外層には設けないようにして、図２（Ｂ）のように、基材層１０１の内側層に設けることもできる。
【００５３】
図１に戻って、天シール部５の近傍には、開封するための切断を誘導する易切断線が設けられている。易切断線は、表側フィルム１と裏側フィルム２のそれぞれに、形の異なる表側易切断線７と裏側易切断線８とで設け、表側易切断線７は、複数の楕円形の表側ハーフカット線７を線状に並べて形成されている。すなわち、表側易切断線７は、複数の表側ハーフカット線７で構成されている。このように、複数の楕円形の表側ハーフカット線が線状に並んでいるので、引き裂いて切断した開封線が表側易切断線７から外れ難い。
【００５４】
第１実施形態では、形や大きさの異なる楕円形の表側ハーフカット線が離れて並んでいて、中央の楕円形が大きく、左右のサイドシール部３、４寄りに小さくなっている。換言すれば、図１の左右方向において表側フィルム１の中央側に向かうにつれて、楕円形の表側ハーフカット線の大きさが大きくなっている。このように、複数の表側ハーフカット線の大きさが略同一ではなく異なっているので、表側フィルム１及び裏側フィルム２の開封後の開封線をそれぞれ指で摘みやすくなる。特に、複数の表側ハーフカット線は、図１の左右方向において中央側に向かうにつれて大きくなっているので、切断中の開封線が表側ハーフカット線に沿って進みやすくなると共に、表側フィルム１及び裏側フィルム２の開封後の開封線のそれぞれをいっそう指で摘みやすくなる。尚、楕円形は２つの焦点が一致した円形を含んでいてもよい。複数の表側ハーフカット線の並び順は、上記に限られず、複数の表側ハーフカット線の大きさに関して不規則に並んでいてもよい。
【００５５】
裏側易切断線８は直線状を呈する裏側ハーフカット線８である。すなわち、裏側易切断線８は、少なくとも一つの裏側ハーフカット線８で構成されている。そのため、裏側易切断線８もまた、引き裂いて切断した開封線が外れ難い。
【００５６】
裏側易切断線８の直線と、線状に並んだ楕円形の２焦点を通る直線とは、表裏の略同一の位置になるように設けられていて、両端部の先の左右のサイドシール部３、４には、外端縁から易切断線７、８に向かう引き裂き開始部９が設けられている。第１実施形態ではＶノッチで設けられているがこれに限る必要はない。表側フィルム１及び裏側フィルム２の側縁と、表側易切断線７との間にそれぞれ、引き裂き開始部９が設けられているので、引き裂き開始部９から引き裂きを開始することにより、切断中の開封線をスムーズに表側ハーフカット線に誘導することが可能となる。また、引き裂き開始部９により、軽い力で簡単に包装袋の引き裂きを開始することが可能となる。
【００５７】
このように、包装袋Ａの表側易切断線７が複数の楕円形の表側ハーフカット線を線状に並べて形成されているので、引き裂き開始部９から引き裂いたときに、表側フィルム１の引き裂かれた開封線は、引き裂く人の引き裂く力の掛かり方・方向性に癖があり、楕円形の上側に沿って引き裂かれたり、楕円形の下側に沿って引き裂かれたり、あるいは、上側に沿ったり下側に沿ったりして引き裂かれるが、それをその都度考慮・修正して引き裂くことができる。
【００５８】
このため、いずれにしても凸凹の開封線になる。それに対し、裏側易切断線８は直線の裏側ハーフカット線で設けられているので、裏側フィルム２はこれに沿って直線状に引き裂かれる。このように、表側フィルム１の引き裂かれた開封線と、裏側フィルム２の引き裂かれた開封線が異なっているので、指で摘みやすく口開きが容易にできる。
【００５９】
第１実施形態に係る包装袋Ａでは、一対の側縁の間（左サイドシール部３と右サイドシール部４との間）において図１の左右方向に沿って直線状に延びる裏側ハーフカット線（裏側易切断線８）が、裏側フィルム２に形成されている。そのため、裏側フィルム２は、裏側ハーフカット線（裏側易切断線８）に沿って直線的に切断される。すなわち、裏側フィルム２の引き裂かれた開封線は、直線状を呈する。
【００６０】
一方、第１実施形態に係る包装袋Ａでは、楕円形状（環状）を呈する複数の表側ハーフカット線（表側易切断線７）が図１の左右方向に沿って並ぶように、表側フィルム１に形成されている。そのため、表側フィルム１において、環状を呈する一の表側ハーフカット線の上側が引き裂かれると、切断中の開封線は、当該一の表側ハーフカット線において、隣り合う他の表側ハーフカット線に向かうにつれて一度上側に向けて膨れた後に下側に向かう（矢印ＡＲ１参照）。従って、切断中の開封線が当該他の表側ハーフカット線に到達すると、楕円形状（環状）を呈する当該他の表側ハーフカット線の下側が引き裂かれる（同参照）。逆も同様であり、表側フィルム１において、環状を呈する一の表側ハーフカット線の下側が引き裂かれると、切断中の開封線は、当該一の表側ハーフカット線において、隣り合う他の表側ハーフカット線に向かうにつれて一度下側に向けて膨れた後に上側に向かう（矢印ＡＲ２参照）。従って、切断中の開封線が当該他の表側ハーフカット線に到達すると、楕円形状（環状）を呈する当該他の表側ハーフカット線の上側が引き裂かれる（同参照）。換言すれば、表側フィルム１において、切断中の開封線は、表側ハーフカット線の上側と下側とに沿って進行しやすい傾向にある。その結果、表側フィルム１は、表側ハーフカット線の上側と下側とが交互に切断される。すなわち、表側フィルム１の引き裂かれた開封線は、凹凸状を呈する。
【００６１】
さらに、第１実施形態に係る包装袋Ａでは、複数の表側ハーフカット線（表側易切断線７）と裏側ハーフカット線（裏側易切断線８）とは、裏側ハーフカット線（裏側易切断線８）が複数の表側ハーフカット線（表側易切断線７）と交差するように互いに重なり合っている。そのため、表側フィルム１のうち表側ハーフカット線の上側が引き裂かれて生ずる開封線は、裏側フィルム２が引き裂かれて生ずる開封線よりも上側に突出する突出部を有する。表側フィルム１のうち表側ハーフカット線の下側が引き裂かれて生ずる開封線は、裏側フィルム２が引き裂かれて生ずる開封線よりも下側に窪む窪み部を有する。従って、開封後の開封線を、表側フィルム１と裏側フィルム２とで異なる位置に形成することが可能となる。
【００６２】
以上より、第１実施形態に係る包装袋Ａでは、表側フィルム１の突出部と、窪み部に対応する裏側フィルム２の部分とにそれぞれ指を引っ掛けやすくなる。従って、第１実施形態に係る包装袋Ａによれば、表側フィルム１及び裏側フィルム２の開封後の開封線をそれぞれ指で摘みやすく、容易に口開きを行うことが可能となる。
【００６３】
＜第２実施形態＞
第２実施形態の包装袋Ｂは、図３のように、表側フィルム１と裏側フィルム２を重ね合わせ、重ね合わせた表側フィルム１と裏側フィルム２の周縁部をシールし、左サイドシール部３、右サイドシール部４、天シール部５、底シール部６を設けた包装袋であることは包装袋Ａと同様である。
【００６４】
天シール部５の近傍には、開封するための切断を誘導する易切断線が設けられている。易切断線は、表側フィルム１と裏側フィルム２のそれぞれに、形の異なる表側易切断線１７と裏側易切断線１８とで設け、表側易切断線１７は、複数の楕円形状を呈する表側ハーフカット線１７を線状に並べて形成されている。このように、複数の楕円形の表側ハーフカット線が線状に並んでいるので、引き裂いて切断した開封線が表側易切断線１７から外れ難い。
【００６５】
第２実施形態では、両端部の楕円形の表側ハーフカット線が小さく、その内側は、それより大きな楕円形の表側ハーフカット線が並んで、隣り合った楕円形の表側ハーフカット線が、接して線状に並んでいる。
【００６６】
裏側易切断線１８は直線状を呈する裏側ハーフカット線１８である。そのため、裏側易切断線１８もまた、引き裂いて切断した開封線が裏側易切断線１８から外れ難い。
【００６７】
裏側易切断線１８の直線と、線状に並んだ楕円形の２焦点を通る直線とは、表裏の略同一の位置になるように設けられていて、両端部の先の左右のサイドシール部３、４には、外端縁から易切断線１７、１８に向かう引き裂き開始部１９が設けられている。第２実施形態では横方向の短い直線からなる傷加工で設けられているがこれに限る必要はない。
【００６８】
このように、包装袋Ｂの表側易切断線１７が複数の楕円形の表側ハーフカット線を線状に並べて形成されているので、引き裂き開始部１９から引き裂いたときに、表側フィルム１の引き裂かれた開封線は、引き裂く人の引き裂く力の掛かり方・方向性に癖があり、楕円形の上側に沿って引き裂かれたり、楕円形の下側に沿って引き裂かれたり、あるいは、上側に沿ったり下側に沿ったりして引き裂かれるが、それをその都度考慮・修正して引き裂くことができる。
【００６９】
このため、いずれにしても凸凹の開封線になる。それに対し、裏側易切断線１８は直線の裏側ハーフカット線で設けられているので、裏側フィルム２はこれに沿って直線状に引き裂かれる。このように、表側フィルム１の引き裂かれた開封線と、裏側フィルム２の引き裂かれた開封線が異なっているので、指で摘みやすく口開きが容易にできる。
【００７０】
第２実施形態に係る包装袋Ｂでも、第１実施形態に係る包装袋Ａと同様の作用効果を奏する。
【００７１】
加えて、第２実施形態に係る包装袋Ｂでは、隣り合う楕円形の表側ハーフカット線が互いに接している。すなわち、一の表側ハーフカット線のうち右サイドシール部４側に位置する端点と、右隣の他の表側ハーフカット線のうち左サイドシール部３側に位置する端点とが接続されている。そのため、切断中の開封線が、表側ハーフカット線の上側と下側とに沿ってさらに進行しやすくなる。
【００７２】
＜第３実施形態＞
第３実施形態の包装袋Ｃは、図４のように、表側フィルム１と裏側フィルム２を重ね合わせ、重ね合わせた表側フィルム１と裏側フィルム２の周縁部をシールし、左サイドシール部３、右サイドシール部４、天シール部５、底シール部６を設けた包装袋であることは包装袋Ａと同様である。
【００７３】
天シール部５の近傍には、開封するための切断を誘導する易切断線が設けられている。易切断線は、表側フィルム１と裏側フィルム２のそれぞれに、形の異なる表側易切断線２７と裏側易切断線２８とで設け、表側易切断線２７は、複数の楕円形状を呈する表側ハーフカット線２７を線状に並べて形成されている。このように、複数の楕円形の表側ハーフカット線が線状に並んでいるので、引き裂いて切断した開封線が表側易切断線２７から外れ難い。
【００７４】
第３実施形態では、略同形の楕円形の表側ハーフカット線が、隣り合った楕円形の表側ハーフカット線の両端部分が重なり合って、交わって横に線状に並んでいる。このように、交わって並んでいるので、楕円形の表側ハーフカット線どうしの間で開封線が外れ難く、楕円形の表側ハーフカット線に沿って開封されやすい。
【００７５】
裏側易切断線２８は直線状を呈する裏側ハーフカット線２８である。そのため、裏側易切断線２８もまた、引き裂いて切断した開封線が裏側易切断線２８から外れ難い。
【００７６】
裏側易切断線２８の直線と、線状に並んだ楕円形の２焦点を通る直線とは、表裏の略同一の位置になるように設けられていて、両端部の先の左右のサイドシール部３、４には、外端縁から易切断線２７、２８に向かう引き裂き開始部１９が設けられている。第３実施形態では横方向の短い直線からなる傷加工で設けられているがこれに限る必要はない。
【００７７】
このように、包装袋Ｃの表側易切断線２７が複数の楕円形の表側ハーフカット線を線状に並べて形成されているので、引き裂き開始部１９から引き裂いたときに、表側フィルム１の引き裂かれた開封線は、引き裂く人の引き裂く力の掛かり方・方向性に癖があり、楕円形の上側に沿って引き裂かれたり、楕円形の下側に沿って引き裂かれたり、あるいは、上側に沿ったり下側に沿ったりして引き裂かれるが、それをその都度考慮・修正して引き裂くことができる。
【００７８】
このため、いずれにしても凸凹の開封線になる。それに対し、裏側易切断線２８は直線の裏側ハーフカット線で設けられているので、裏側フィルム２はこれに沿って直線状に引き裂かれる。このように、表側フィルム１の引き裂かれた開封線と、裏側フィルム２の引き裂かれた開封線が異なっているので、指で摘みやすく口開きが容易にできる。
【００７９】
第３実施形態に係る包装袋Ｃでも、第１実施形態に係る包装袋Ａと同様の作用効果を奏する。
【００８０】
＜第４実施形態＞
第４実施形態の包装袋Ｄは、図５のように、表側フィルム１と裏側フィルム２を重ね合わせ、重ね合わせた表側フィルム１と裏側フィルム２の周縁部をシールし、左サイドシール部３、右サイドシール部４、天シール部５、底シール部６を設けた包装袋であることは包装袋Ａと同様である。
【００８１】
天シール部５の近傍には、開封するための切断を誘導する易切断線が設けられている。易切断線は、表側フィルム１と裏側フィルム２のそれぞれに、形の異なる表側易切断線３７と裏側易切断線３８とで設け、表側易切断線３７は、複数の楕円形状を呈する表側ハーフカット線３７ａを線状に並べて形成されている。このように、複数の楕円形の表側ハーフカット線３７ａが線状に並んでいるので、引き裂いて切断した開封線が表側易切断線３７から外れ難い。
【００８２】
第４実施形態では、略同形の楕円形の表側ハーフカット線３７ａが離れて線状に並んでいて、隣り合った楕円形の表側ハーフカット線３７ａの両端を結ぶように直線状の中間ハーフカット線３７ｂが設けられ、直線状の中間ハーフカット線３７ｂによって、隣り合った楕円形の表側ハーフカット線３７ａがつながっている。
【００８３】
このように、直線状の中間ハーフカット線３７ｂによって、隣り合った楕円形の表側ハーフカット線３７ａがつながっているので、楕円形の表側ハーフカット線３７ａどうしの間で開封線が外れ難く、楕円形の表側ハーフカット線に沿って開封されやすい。換言すれば、切断中の開封線は、直線状の中間ハーフカット線３７ｂによって、隣り合う表側ハーフカット線３７ａの間において誘導される。そのため、複数の表側ハーフカット線３７ａが互いに離間していても、切断中の開封線が複数の表側ハーフカット線３７ａに沿って進行しやすくなる。
【００８４】
裏側易切断線３８は直線状を呈する裏側ハーフカット線３８である。そのため、裏側易切断線３８もまた、引き裂いて切断した開封線が裏側易切断線３８から外れ難い。
【００８５】
裏側易切断線３８の直線状の裏側ハーフカット線と、表側易切断線３７の線状に並んだ楕円形の表側ハーフカット線の２焦点を通る直線と、直線状の中間ハーフカット線３７ｂとは、表裏の略同一の位置になるように設けられている。
【００８６】
そして、両端部の先の左右のサイドシール部３、４には、外端縁から易切断線３７、３８に向かう引き裂き開始部１９が設けられている。第４実施形態では引き裂き開始部１９を横方向の短い直線からなる傷加工で設けられているがこれに限る必要はない。
【００８７】
このように、包装袋Ｄの表側易切断線３７が複数の楕円形の表側ハーフカット線３７ａを線状に並べて形成され、隣り合った楕円形の表側ハーフカット線３７ａが直線状の中間ハーフカット線３７ｂによってつながっているので、引き裂き開始部１９から引き裂いたときに、表側フィルム１の引き裂かれた開封線は、引き裂く人の引き裂く力の掛かり方・方向性に癖があり、楕円形の上側に沿って引き裂かれたり、楕円形の下側に沿って引き裂かれたり、あるいは、上側に沿ったり下側に沿ったりして引き裂かれるが、それをその都度考慮・修正して引き裂くことができる。
【００８８】
このため、いずれにしても凸凹の開封線になる。それに対し、裏側易切断線３８は直線の裏側ハーフカット線で設けられているので、裏側フィルム２はこれに沿って直線状に引き裂かれる。このように、表側フィルム１の引き裂かれた開封線と、裏側フィルム２の引き裂かれた開封線が異なっているので、指で摘みやすく口開きが容易にできる。
【００８９】
第４実施形態に係る包装袋Ｄでも、第１実施形態に係る包装袋Ａと同様の作用効果を奏する。
【００９０】
＜第５実施形態＞
第５実施形態の包装袋Ｅは、図６のように、表側フィルム１と裏側フィルム２を重ね合わせ、重ね合わせた表側フィルム１と裏側フィルム２の周縁部をシールし、左サイドシール部３、右サイドシール部４、天シール部５、底シール部６を設けた包装袋であることは包装袋Ａと同様である。
【００９１】
天シール部５の近傍には、開封するための切断を誘導する易切断線が設けられている。易切断線は、表側フィルム１と裏側フィルム２のそれぞれに、形の異なる表側易切断線４７と裏側易切断線４８とで設け、表側易切断線４７は、複数の楕円形状を呈する表側ハーフカット線４７を線状に並べて形成されている。このように、複数の楕円形の表側ハーフカット線が線状に並んでいるので、引き裂いて切断した開封線が表側易切断線４７から外れ難い。
【００９２】
第５実施形態では、略同形の楕円形の表側ハーフカット線が離れて線状に並んで設けられ、更に円弧状のガイド用ハーフカット線１０が、楕円形の左右の一端部から上に、また、反対の端部から下に向かって設けられていて、楕円形の表側ハーフカット線から開封線が外れてしまうことがあっても、このガイド用ハーフカット線１０によって、次の楕円形の表側ハーフカット線に導き、開封線が表側易切断線４７から外れるのを抑制している。
【００９３】
裏側易切断線４８は直線状を呈する裏側ハーフカット線４８である。そのため、裏側易切断線４８もまた、引き裂いて切断した開封線が裏側易切断線４８から外れ難い。
【００９４】
裏側易切断線４８の直線と、表側易切断線４７の線状に並んだ楕円形の２焦点を通る直線とは、表裏の略同一の位置になるように設けられている。
【００９５】
そして、両端部の先の左右のサイドシール部３、４には、外端縁から易切断線４７、４８に向かう引き裂き開始部１９が設けられている。第５実施形態では引き裂き開始部１９を横方向の短い直線からなる傷加工で設けられているがこれに限る必要はない。
【００９６】
このように、包装袋Ｅの表側易切断線４７が、複数の略同形の楕円形の表側ハーフカット線が離れて線状に並んで設けられ、更に円弧状のガイド用ハーフカット線１０が、楕円形の左右の一端部から上に、また、反対の端部から下に向かって設けられてので、引き裂き開始部１９から引き裂いたときに、楕円形の表側ハーフカット線から開封線が途中で外れてしまうことがあっても、外れた開封線は円弧状のガイド用ハーフカット線１０により、表側易切断線４７の楕円形の表側ハーフカット線に戻される。そのため、切断中の開封線が表側易切断線４７（楕円形の表側ハーフカット線）に沿ってより進行しやすくなる。なお、ガイド用ハーフカット線１０は、円弧状に限られず、種々の形状であってもよい。すなわち、ガイド用ハーフカット線１０は、楕円形の表側ハーフカット線のうちサイドシール部３側の部分又は当該部分の近傍からサイドシール部４側に向けて延び、また、楕円形の表側ハーフカット線のうちサイドシール部４側の部分又は当該部分の近傍からサイドシール部３側に向けて延びていればよい。この場合、一方が楕円形の表側ハーフカット線の上側に位置し、他方が楕円形の表側ハーフカット線の下側に位置していればよい。
【００９７】
そして、表側フィルム１の引き裂かれた開封線は、引き裂く人の引き裂く力の掛かり方・方向性に癖があり、楕円形の上側に沿って引き裂かれたり、楕円形の下側に沿って引き裂かれたり、あるいは、上側に沿ったり下側に沿ったりして引き裂かれるが、それをその都度考慮・修正して引き裂くことができる。
【００９８】
このため、いずれにしても凸凹の開封線になる。それに対し、裏側易切断線３８は直線の裏側ハーフカット線で設けられているので、裏側フィルム２はこれに沿って直線状に引き裂かれる。このように、表側フィルム１の引き裂かれた開封線と、裏側フィルム２の引き裂かれた開封線が異なっているので、指で摘みやすく口開きが容易にできる。
【００９９】
第５実施形態に係る包装袋Ｅでも、第１実施形態に係る包装袋Ａと同様の作用効果を奏する。
【０１００】
加えて、第５実施形態に係る包装袋Ｅでは、各表側ハーフカット線に対して一対のガイド用ハーフカット線１０が表側フィルム１に形成されている。一のガイド用ハーフカット線１０ａは、楕円形の表側ハーフカット線のうち右サイドシール部４側の端点から左サイドシール部３側に向けて延びており、楕円形の表側ハーフカット線の上側に位置している。他のガイド用ハーフカット線１０ｂは、楕円形の表側ハーフカット線のうち左サイドシール部３側の端点から右サイドシール部４側に向けて延びており、楕円形の表側ハーフカット線の下側に位置している。そのため、切断中の開封線が表側ハーフカット線から外れてしまうことがあっても、外れた開封線はガイド用ハーフカット線１０によって表側ハーフカット線に誘導される。そのため、切断中の開封線が表側ハーフカット線に沿ってより進行しやすくなる。
【０１０１】
＜第６実施形態＞
第６実施形態の包装袋Ｆは、図７のように、表側フィルム１と裏側フィルム２を重ね合わせ、重ね合わせた表側フィルム１と裏側フィルム２の周縁部をシールし、左サイドシール部３、右サイドシール部４、天シール部５、底シール部６を設けた包装袋であることは包装袋Ａと同様である。
【０１０２】
天シール部５の近傍には、開封するための切断を誘導する易切断線が設けられている。易切断線は、表側フィルム１と裏側フィルム２のそれぞれに、形の異なる表側易切断線５７と裏側易切断線５８とで設け、表側易切断線５７は、複数の楕円形状を呈する表側ハーフカット線５７を線状に並べて形成されている。このように、複数の楕円形の表側ハーフカット線が線状に並んでいるので、引き裂いて切断した開封線が表側易切断線５７から外れ難い。
【０１０３】
第６実施形態では、略同形の楕円形の表側ハーフカット線が離れて線状に並んで設けられ、更に直線状の２本のガイド用ハーフカット線１１が、線状に並んだ楕円形の表側ハーフカット線の上または下に接して設けられている。なお、ガイド用ハーフカット線１１は、複数の表側ハーフカット線に接して設けられていなくてもよく、複数の表側ハーフカット線の上側近傍又は下側近傍に位置していてもよい。ガイド用ハーフカット線１１は、側縁ＥＬ，ＥＲの間においてこれらの対向方向に沿って延びる線状を呈していればよく、直線状であってもよいし、曲線状であってもよい。
【０１０４】
これにより、引き裂いていく途中で、楕円形の表側ハーフカット線から開封線が外れてしまうことがあっても、このガイド用ハーフカット線１１によって、次の楕円形の表側ハーフカット線に開封線を導くことができ、開封線が表側易切断線５７に戻ることができる。
【０１０５】
裏側易切断線５８は直線状を呈する裏側ハーフカット線５８である。そのため、裏側易切断線５８もまた、引き裂いて切断した開封線が裏側易切断線５８から外れ難い。
【０１０６】
裏側易切断線５８の直線と、表側易切断線５７の線状に並んだ楕円形の２焦点を通る直線とは、表裏の略同一の位置になるように設けられている。
【０１０７】
そして、両端部の先の左右のサイドシール部３、４には、外端縁から易切断線５７、５８に向かう引き裂き開始部１９が設けられている。第６実施形態では引き裂き開始部１９を横方向の短い直線からなる傷加工で設けられているがこれに限る必要はない。
【０１０８】
このように、包装袋Ｆの表側易切断線５７が、複数の略同形の楕円形の表側ハーフカット線が離れて線状に並んで設けられ、更に直線状のガイド用ハーフカット線１１が、線状に並んだ楕円形の表側ハーフカット線の上下に設けられているので、引き裂き開始部１９から引き裂いたときに、表側易切断線５７の途中から開封線が外れることがあっても、ガイド用ハーフカット線１１に沿って反対側のサイドシール部まで引き裂かれる。
【０１０９】
そして、表側フィルム１の引き裂かれた開封線は、引き裂く人の引き裂く力の掛かり方・方向性に癖があり、楕円形の上側に沿って引き裂かれたり、楕円形の下側に沿って引き裂かれたり、あるいは、上側に沿ったり下側に沿ったりして引き裂かれるが、それをその都度考慮・修正して引き裂くことができる。
【０１１０】
また、途中で表側易切断線５７から開封線が逸れても、上下方向の位置が切り始めの位置と異なる。そのため、いずれにしても凸凹の開封線になる。それに対し、裏側易切断線３８は直線の裏側ハーフカット線で設けられているので、裏側フィルム２はこれに沿って直線状に引き裂かれる。このように、表側フィルム１の引き裂かれた開封線と、裏側フィルム２の引き裂かれた開封線が異なっているので、指で摘みやすく口開きが容易にできる。
【０１１１】
以上のように、第６実施形態の包装袋Ｆは、開封したときに、開封予定線から、切断した開封線が外れ難く、開封線が表側フィルム及び裏側フィルムで異なり、指で摘みやすく、口開きが容易にできる。
【０１１２】
第６実施形態に係る包装袋Ｆでも、第１実施形態に係る包装袋Ａと同様の作用効果を奏する。
【０１１３】
加えて、第６実施形態に係る包装袋Ｆでは、複数の表側ハーフカット線の上側と接するように左サイドシール部３と右サイドシール部４との間で延びる直線状のガイド用ハーフカット線１１ａと、複数の表側ハーフカット線の下側と接するように左サイドシール部３と右サイドシール部４との間で延びる直線状のガイド用ハーフカット線１１ｂとが、表側フィルム１に形成されている。そのため、切断中の開封線が表側ハーフカット線から外れてしまうことがあっても、外れた開封線はガイド用ハーフカット線１１によって側縁まで誘導される。そのため、包装袋の開封により、包装袋に開口部がより形成されやすくなる。
【０１１４】
＜第７実施形態＞
第７実施形態に係る包装袋Ｇは、図８に示されるように、包装袋Ｇは、略矩形の一対の表側フィルム１及び裏側フィルム２を備える。包装袋Ｇは、表側フィルム１及び裏側フィルム２が互いに重ね合わされた状態で周辺同士がシールされて（貼り合わされて）得られる。すなわち、包装袋Ｇには、左サイドシール部３（第１のシール部）、右サイドシール部４（第２のシール部）、天シール部５及び底シール部６が形成されている。
【０１１５】
左サイドシール部３は、表側フィルム１及び裏側フィルム２の左側縁ＥＬ（第１の側縁）をシールしており、左側縁ＥＬに沿って延びている。右サイドシール部４は、表側フィルム１及び裏側フィルム２の右側縁ＥＲ（第２の側縁）をシールしており、右側縁ＥＲに沿って延びている。天シール部５は、表側フィルム１及び裏側フィルム２の上縁ＥＵをシールしており、上縁ＥＵに沿って延びている。底シール部６は、表側フィルム１及び裏側フィルム２の下縁ＥＢをシールしており、下縁ＥＢに沿って延びている。左サイドシール部３及び右サイドシール部４は共に上下方向（第１の方向）に沿って延びており、天シール部５及び底シール部６は共に上下方向に交差する左右方向（第２の方向）に沿って延びている。
【０１１６】
包装袋Ｇには、これらのシール部３〜６で囲まれる非シール部６０が形成されている。包装袋Ｇは、食料品等の被収容物を非シール部６０において収容する。被収容物が非シール部６０において収容される前は、非シール部６０に被収容物を収容するために、シール部３〜６の少なくとも一部がシールされていない。すなわち、被収容物の収容前においては、周縁ＥＬ，ＥＲ，ＥＵ，ＥＢが部分的にシールされて包装袋Ｇが構成されており、周縁ＥＬ，ＥＲ，ＥＵ，ＥＢのうちシールされていない未シール部が、被収容物を充填するための充填口として機能する。被収容物が非シール部６０に充填された後、未シール部がシールされることにより、被収容物を収容した包装袋Ｇが得られる。
【０１１７】
表側フィルム１は、例えば積層フィルム１１０で構成されている。表側フィルム１の表面には、複数の表側ハーフカット線６１が形成されている。第７実施形態では、複数の表側ハーフカット線６１は、非シール部６０に位置している。
【０１１８】
複数の表側ハーフカット線６１は、図８の左右方向（側縁ＥＬ，ＥＲの対向方向）において並んでいる。表側ハーフカット線６１は、左側縁ＥＬ側に位置する第１の点から上下に分岐して右側縁ＥＲ側に位置する第２の点に収束する紡錘状を呈している。換言すれば、表側ハーフカット線６１は、上縁ＥＵ側に向けて膨らむ弧状の上側線６１ａと、下縁ＥＢ側に向けて膨らむ弧状の下側線６１ｂとを含む。
【０１１９】
図８の左右方向（側縁ＥＬ，ＥＲの対向方向）における表側ハーフカット線６１の幅ｗは、例えば、３ｃｍ〜９ｃｍ程度であってもよい。図８の上下方向（上縁ＥＵ及び下縁ＥＢの対向方向）における上側線６１ａ又は下側線６１ｂの高さｈ（表側ハーフカット線６１の１／２の高さ）は、例えば、１ｍｍ〜５ｍｍ程度であってもよい。表側ハーフカット線６１の幅ｗに対する上側線６１ａ又は下側線６１ｂの高さｈの割合（高さｈ／幅ｗ）は、例えば、１．１％〜１６．７％程度であってもよい。
【０１２０】
第７実施形態に係る包装袋Ｇでは、一の表側ハーフカット線６１のうち右側縁ＥＲ側に位置する第２の点と、右隣の他の表側ハーフカット線６１のうち左側縁ＥＬ側に位置する第１の点とが接続されているが、第１実施形態に係る包装袋Ａと同様に、隣り合う表側ハーフカット線６１が離間していてもよい。隣り合う表側ハーフカット線６１が離間している場合には、第４実施形態に係る包装袋Ｄと同様に、隣り合う表側ハーフカット線６１を接続する中間ハーフカット線３７ｂが表側フィルム１に形成されていてもよい。
【０１２１】
裏側フィルム２は、積層フィルム１１０で構成されている。裏側フィルム２の表面には、一本の裏側ハーフカット線６２が形成されている。裏側ハーフカット線６２は、直線状を呈しており、図８の左右方向（側縁ＥＬ，ＥＲの対向方向）において延びている。
【０１２２】
複数の表側ハーフカット線６１と、裏側ハーフカット線６２とは、表側フィルム１及び裏側フィルム２が重ね合わされた状態において、裏側ハーフカット線６２が複数の表側ハーフカット線６１と交差するように互いに重なり合っている。具体的には、裏側ハーフカット線６２は、複数の表側ハーフカット線６１の上側線６１ａと下側線６１ｂとの間を通ると共に複数の表側ハーフカット線６１の端点を通るように延びている。
【０１２３】
左サイドシール部３及び右サイドシール部４にはそれぞれ、引き裂き開始部１９が形成されている。具体的には、左側の引き裂き開始部１９は、表側ハーフカット線６１及び裏側ハーフカット線６２の左端と、左側縁ＥＬとの間に位置している。右側の引き裂き開始部１９は、表側ハーフカット線６１及び裏側ハーフカット線６２の右端と、右側縁ＥＲとの間に位置している。引き裂き開始部１９は、図８に示されるように、横方向の短い直線からなる傷痕群であってもよいが、これに限られない。例えば、引き裂き開始部１９は、図１に示されるような切り欠き（Ｖ字状ノッチ、Ｕ字状ノッチ、Ｉ字状スリット等）であってもよい。
【０１２４】
第７実施形態に係る包装袋Ｇでも、第１実施形態に係る包装袋Ａと同様の作用効果を奏する。
【０１２５】
加えて、第７実施形態に係る包装袋Ｇでは、表側フィルム１に複数の紡錘状の表側ハーフカット線６１が形成されている。そのため、一の表側ハーフカット線６１からその隣の表側ハーフカット線６１にかけて、表側ハーフカット線６１の形状が比較的緩やかに変化している。従って、切断中の開封線は、一の表側ハーフカット線６１からその隣の表側ハーフカット線６１へとスムーズに移行しやすくなる。その結果、切断中の開封線が、表側ハーフカット線６１の上側と下側とに沿ってさらに進行しやすくなる。
【０１２６】
＜第８実施形態＞
第８実施形態に係る包装袋Ｈは、図９に示されるように、表側ハーフカット線６１の大きさの点で、第７実施形態に係る包装袋Ｇと異なる。
【０１２７】
具体的には、複数の表側ハーフカット線６１のうち最も左側縁ＥＬ側に位置する表側ハーフカット線６１Ｌの少なくとも一部が、左サイドシール部３に位置している。そのため、表側ハーフカット線６１Ｌのうち左側縁ＥＬ側の端点が、左側縁ＥＬに一致しているか、又は、左側縁ＥＬの近傍に位置している。表側ハーフカット線６１Ｌのうち左側縁ＥＬ側の一部は、引き裂き開始部１９と重なり合っていてもよいし、引き裂き開始部１９と重なり合っていなくてもよい。
【０１２８】
複数の表側ハーフカット線６１のうち最も右側縁ＥＲ側に位置する表側ハーフカット線６１Ｒの少なくとも一部が、右サイドシール部４に位置している。そのため、表側ハーフカット線６１Ｒのうち右側縁ＥＲ側の端点が、右側縁ＥＲに一致しているか、又は、右側縁ＥＲの近傍に位置している。表側ハーフカット線６１Ｒのうち右側縁ＥＲ側の一部は、引き裂き開始部１９と重なり合っていてもよいし、引き裂き開始部１９と重なり合っていなくてもよい。
【０１２９】
第８実施形態に係る包装袋Ｈでも、第１実施形態に係る包装袋Ａと同様の作用効果を奏する。
【０１３０】
加えて、第８実施形態に係る包装袋Ｈでは、上記のとおり、表側ハーフカット線６１Ｌ，６１Ｒの少なくとも一部がそれぞれシール部３，４に位置している。そのため、表側ハーフカット線６１Ｌと左側縁ＥＬとが近接すると共に、表側ハーフカット線６１Ｒと右側縁ＥＲとが近接する。従って、切断中の開封線が各側縁ＥＬ，ＥＲから対応する表側ハーフカット線６１Ｌ，６１Ｒに向けて進行しやすくなる。
【０１３１】
＜第９実施形態＞
第９実施形態に係る包装袋Ｉは、図１０に示されるように、表側フィルム１に一対の側縁ハーフカット線６３がさらに形成されている点で、第７実施形態に係る包装袋Ｇと異なる。
【０１３２】
具体的には、一対の側縁ハーフカット線６３のうち左側縁ＥＬ側に位置する側縁ハーフカット線６３Ｌ（第１の側縁ハーフカット線）は、表側ハーフカット線６１Ｌのうち左側縁ＥＬ側の端点から左側縁ＥＬに向けて直線状に延びている。側縁ハーフカット線６３Ｌのうち左側縁ＥＬ側の一部は、引き裂き開始部１９と重なり合っていてもよいし、引き裂き開始部１９と重なり合っていなくてもよい。
【０１３３】
一対の側縁ハーフカット線６３のうち右側縁ＥＲ側に位置する側縁ハーフカット線６３Ｒ（第２の側縁ハーフカット線）は、表側ハーフカット線６１Ｒのうち左側縁ＥＲ側の端点から左側縁ＥＲに向けて直線状に延びている。側縁ハーフカット線６３Ｒのうち右側縁ＥＲ側の一部は、引き裂き開始部１９と重なり合っていてもよいし、引き裂き開始部１９と重なり合っていなくてもよい。
【０１３４】
第９実施形態に係る包装袋Ｉでも、第１実施形態に係る包装袋Ａと同様の作用効果を奏する。
【０１３５】
加えて、第９実施形態に係る包装袋Ｉでは、上記のとおり、表側フィルム１に側縁ハーフカット線６３が形成されている。そのため、切断中の開封線が、側縁ハーフカット線６３によって、側縁ＥＬ，ＥＲと表側ハーフカット線６１との間において誘導される。従って、表側ハーフカット線６１と側縁ＥＬ，ＥＲとが離間していても、切断中の開封線が側縁ＥＬ，ＥＲから表側ハーフカット線６１に向けて進行しやすくなる。
【０１３６】
側縁ハーフカット線６３の形状は、線状であればよく、直線状の他に曲線状等であってもよい。
【０１３７】
＜第１０実施形態＞
第１０実施形態に係る包装袋Ｊは、図１１に示されるように、表側フィルム１及び裏側フィルム２にガイド用ハーフカット線６４がさらに形成されている点で、第７実施形態に係る包装袋Ｇと異なる。
【０１３８】
具体的には、ガイド用ハーフカット線６４は、上側線６４ａと、下側線６４ｂとを含む。上側線６４ａ及び下側線６４ｂは、引き裂き開始部１９を囲むように引き裂き開始部１９の上下に位置している。上側線６４ａ及び下側線６４ｂは、弧状（曲線状）を呈している。上側線６４ａ及び下側線６４ｂは、側縁ＥＬ，ＥＲ側から内側に向かうにつれて、互いに近づいている。上側線６４ａ及び下側線６４ｂのうち内側の端縁は、互いに接していてもよいし、離間していてもよい。上側線６４ａ及び下側線６４ｂのうち内側の端縁は、表側ハーフカット線６１又は裏側ハーフカット線６２と接していてもよいし、離間していてもよい。
【０１３９】
第１０実施形態に係る包装袋Ｊでも、第１実施形態に係る包装袋Ａと同様の作用効果を奏する。
【０１４０】
加えて、第１０実施形態に係る包装袋Ｊでは、上記のとおり、表側フィルム１及び裏側フィルム２にガイド用ハーフカット線６４が形成されている。そのため、引き裂き開始部１９において生じた切断中の開封線が表側ハーフカット線６１又は裏側ハーフカット線６２に向かって進行しないことがあっても、引き裂き開始部１９がガイド用ハーフカット線６４によって囲まれているので、切断中の開封線は、ガイド用ハーフカット線６４によって表側ハーフカット線６１又は裏側ハーフカット線６２に向けて誘導される。そのため、切断中の開封線をよりスムーズに表側ハーフカット線６１又は裏側ハーフカット線６２に誘導することが可能となる。
【０１４１】
＜第１１実施形態＞
第１１実施形態に係る包装袋Ｋは、図１２に示されるように、ガイド用ハーフカット線６４の形状の点で、第１０実施形態に係る包装袋Ｊと異なる。具体的には、第１０実施形態に係る包装袋Ｋのガイド用ハーフカット線６４は、直線状を呈する上側線６４ａ及び下側線６４ｂを含む。
【０１４２】
第１１実施形態に係る包装袋Ｋでも、第１０実施形態に係る包装袋Ｊと同様の作用効果を奏する。
【０１４３】
＜第１２実施形態＞
第１２実施形態に係る包装袋Ｌは、図１３に示されるように、表側ハーフカット線６１の形状の点で、第７実施形態に係る包装袋Ｇと異なる。
【０１４４】
具体的には、第１２実施形態に係る包装袋Ｌの表側ハーフカット線６１は、左側縁ＥＬ側に位置する第１の点から上下に分岐して右側縁ＥＲ側に位置する第２の点に収束する菱形状を呈している。換言すれば、表側ハーフカット線６１は、上縁ＥＵ側に向けて膨らむＶ字状の上側線６１ａと、下縁ＥＢ側に向けて膨らむＶ字状の下側線６１ｂとを含む。
【０１４５】
第１２実施形態に係る包装袋Ｌでも、第７実施形態に係る包装袋Ｇと同様の作用効果を奏する。
【０１４６】
＜第１３実施形態＞
第１３実施形態に係る包装袋Ｍは、図１４に示されるように、表側ハーフカット線６１の形状の点で、第７実施形態に係る包装袋Ｇと異なる。
【０１４７】
具体的には、第１３実施形態に係る包装袋Ｍの表側ハーフカット線６１は、一対の基線部６１ｃｕ，６１ｃｂ（第１の基線部）と、一対の基線部６１ｄｕ，６１ｄｂ（第２の基線部）と、一対の膨出部６１ｅｕ，６１ｅｂとを含む。一対の基線部６１ｃｕ，６１ｃｂは、表側ハーフカット線６１のうち左側縁ＥＬ側に位置する第１の端点から上下に分岐している。一対の基線部６１ｄｕ，６１ｄｂは、表側ハーフカット線６１のうち右側縁ＥＲ側に位置する第２の端点に収束している。膨出部６１ｅｕ（第１の膨出部）は、上側に位置する基線部６１ｃｕ，６１ｄｕを接続している。膨出部６１ｅｕは、基線部６１ｃｕ，６１ｄｕの内端部から上側に屈曲して、基線部６１ｃｕ，６１ｄｕよりも上側に膨出（突出）している。膨出部６１ｅｂ（第２の膨出部）は、下側に位置する基線部６１ｃｂ，６１ｄｂを接続している。膨出部６１ｅｂは、基線部６１ｃｂ，６１ｄｂの内端部から下側に屈曲して、基線部６１ｃｂ，６１ｄｂよりも下側に膨出（突出）している。
【０１４８】
従って、表側ハーフカット線６１のうち上縁ＥＵ側に向けて膨らむ上側線６１ａは、基線部６１ｃｕと、膨出部６１ｅｕと、基線部６１ｄｕとで構成されている。図１３では、基線部６１ｃｕ，６１ｄｕ及び膨出部６１ｅｕがいずれも弧状を呈しており、膨出部６１ｅｕと基線部６１ｃｕ，６１ｄｕとが滑らかに（連続的に）接続されているが、基線部６１ｃｕ，６１ｄｕ及び膨出部６１ｅｕが弧状以外の線状（直線状、曲線状）を呈していてもよいし、膨出部６１ｅｕと基線部６１ｃｕ，６１ｄｕとが折れ線状に（不連続的に）接続されていてもよい。
【０１４９】
表側ハーフカット線６１のうち下縁ＥＢ側に向けて膨らむ下側線６１ｂは、基線部６１ｃｂと、膨出部６１ｅｂと、基線部６１ｄｂとで構成されている。図１３では、基線部６１ｃｂ，６１ｄｂ及び膨出部６１ｅｂがいずれも弧状を呈しており、膨出部６１ｅｂと基線部６１ｃｂ，６１ｄｂとが滑らかに（連続的に）接続されているが、基線部６１ｃｂ，６１ｄｂ及び膨出部６１ｅｂが弧状以外の線状（直線状、曲線状）を呈していてもよいし、膨出部６１ｅｂと基線部６１ｃｂ，６１ｄｂとが屈曲した状態で接続されていてもよい。
【０１５０】
第１３実施形態に係る包装袋Ｍでも、第７実施形態に係る包装袋Ｇと同様の作用効果を奏する。
【０１５１】
加えて、第１３実施形態に係る包装袋Ｍでは、上記のとおり、表側ハーフカット線６１の上側線６１ａが基線部６１ｃｕ、膨出部６１ｅｕ及び基線部６１ｄｕとで構成され、表側ハーフカット線６１の下側線６１ｂが基線部６１ｃｂ、膨出部６１ｅｂ及び基線部６１ｄｂとで構成されている。そのため、基線部６１ｃｕ，６１ｃｂ，６１ｄｕ，６１ｄｂは、膨出部６１ｅｕ，６１ｅｂよりも裏側ハーフカット線６２に対する角度が小さくなる。左側縁ＥＬ又は右側縁ＥＲから引き裂きが開始された場合、切断中の開封線は、膨出部６１ｅｕ，６１ｅｂではなく、まず基線部６１ｃｕ，６１ｃｂ，６１ｄｕ，６１ｄｂに到達するので、表側フィルム１と裏側フィルム２とで、切断中の開封線の進行方向が大きく異なってしまうことが抑制される。従って、切断中の開封線が、表側ハーフカット線６１に沿っていっそう進行しやすくなる。一方、表側ハーフカット線６１は膨出部６１ｅｕ，６１ｅｂを含んでいるので、表側フィルム１が引き裂かれて生ずる突出部の大きさ（高さ）及び窪み部の大きさ（深さ）が大きくなる。そのため、表側フィルム１の突出部と、窪み部に対応する裏側フィルム２の部分とのそれぞれに指をさらに引っ掛けやすくなる。以上より、切断中の開封線を表側ハーフカット線６１に沿って進行させることと、表側フィルム１により大きな突出部及び窪み部を形成することという一見すると相反する事柄を、両立させることが可能となる。
【０１５２】
＜第１４実施形態＞
第１４実施形態に係る包装袋Ｎは、図１５に示されるように、表側ハーフカット線６１の数の点で、第１３実施形態に係る包装袋Ｍと異なる。具体的には、第１３実施形態に係る包装袋Ｍにおいては複数の表側ハーフカット線６１が表側フィルム１に形成されていたが、第１４実施形態に係る包装袋Ｍにおいては一つの表側ハーフカット線６１が表側フィルム１に形成されている。
【０１５３】
第１４実施形態に係る包装袋Ｎでは、表側ハーフカット線６１と裏側ハーフカット線６２とは、裏側ハーフカット線６２が表側ハーフカット線６１と交差するように互いに重なり合っている。そのため、表側フィルム１のうち表側ハーフカット線６１の上側が引き裂かれて生ずる開封線は、裏側フィルム２が引き裂かれて生ずる開封線よりも上側に突出する突出部を有する。表側フィルム１のうち表側ハーフカット線６１の下側が引き裂かれて生ずる開封線は、裏側フィルム２が引き裂かれて生ずる開封線よりも下側に窪む窪み部を有する。従って、開封後の開封線を、表側フィルム１と裏側フィルム２とで異なる位置に形成することが可能となる。
【０１５４】
第１４実施形態に係る包装袋Ｎでは、表側ハーフカット線６１の上側線６１ａが基線部６１ｃｕ、膨出部６１ｅｕ及び基線部６１ｄｕとで構成され、表側ハーフカット線６１の下側線６１ｂが基線部６１ｃｂ、膨出部６１ｅｂ及び基線部６１ｄｂとで構成されている。そのため、基線部６１ｃｕ，６１ｃｂ，６１ｄｕ，６１ｄｂは、膨出部６１ｅｕ，６１ｅｂよりも裏側ハーフカット線６２に対する角度が小さくなる。左側縁ＥＬ又は右側縁ＥＲから引き裂きが開始された場合、切断中の開封線は、膨出部６１ｅｕ，６１ｅｂではなく、まず基線部６１ｃｕ，６１ｃｂ，６１ｄｕ，６１ｄｂに到達するので、表側フィルム１と裏側フィルム２とで、切断中の開封線の進行方向が大きく異なってしまうことが抑制される。従って、切断中の開封線が、表側ハーフカット線６１に沿っていっそう進行しやすくなる。一方、表側ハーフカット線６１は膨出部６１ｅｕ，６１ｅｂを含んでいるので、表側フィルム１が引き裂かれて生ずる突出部の大きさ（高さ）及び窪み部の大きさ（深さ）が大きくなる。そのため、表側フィルム１の突出部と、窪み部に対応する裏側フィルム２の部分とのそれぞれに指をさらに引っ掛けやすくなる。以上より、切断中の開封線を表側ハーフカット線６１に沿って進行させることと、表側フィルム１により大きな突出部及び窪み部を形成することという一見すると相反する事柄を、両立させることが可能となる。
【０１５５】
＜第１５実施形態＞
第１５実施形態に係る包装袋Ｏは、図１６に示されるように、表側ハーフカット線６１の数及び形状の点で、第１４実施形態に係る包装袋Ｎと異なる。
【０１５６】
具体的には、第１４実施形態に係る包装袋Ｏにおいては、楕円形状を呈する３つの表側ハーフカット線６１Ｌ，６１Ｃ，６１Ｒが表側フィルム１に形成されている。表側ハーフカット線６１Ｃは、表側ハーフカット線６１Ｌ，６１Ｒよりも大きい。表側ハーフカット線６１Ｌ，６１Ｒの大きさは、共に同程度である。
【０１５７】
表側ハーフカット線６１Ｌ，６１Ｃ，６１Ｒは、左側縁ＥＬ側から右側縁ＥＲ側に向けて、この順に並んでいる。表側ハーフカット線６１Ｌ，６１Ｃ，６１ＬＲは、互いに重なり合っている。より詳しくは、表側ハーフカット線６１Ｃは、表側ハーフカット線６１Ｌ，６１Ｒのうち短径上の点（短径の端点）又はその近傍と重なり合っている。そのため、表側ハーフカット線６１Ｌと表側ハーフカット線６１Ｃとの交点においては、表側ハーフカット線６１Ｌ，６１Ｃが折れ線状に（不連続的に）接続されている。同様に、表側ハーフカット線６１Ｃと表側ハーフカット線６１Ｒとの交点においては、表側ハーフカット線６１Ｃ，６１Ｒが折れ線状に（不連続的に）接続されている。従って、表側ハーフカット線６１Ｃの上側部分は、表側ハーフカット線６１Ｌ，６１Ｒのうち短径の上端点又はその近傍から上側に屈曲して、表側ハーフカット線６１Ｌ，６１Ｒよりも上側に膨出（突出）している。表側ハーフカット線６１Ｃの下側部分は、表側ハーフカット線６１Ｌ，６１Ｒのうち短径の下端点又はその近傍から下側に屈曲して、表側ハーフカット線６１Ｌ，６１Ｒよりも下側に膨出（突出）している。
【０１５８】
以上のような表側ハーフカット線６１Ｌ，６１Ｃ，６１Ｒが表側フィルム１に形成されていると、例えば左側縁ＥＬから引き裂きを開始した場合、切断中の開封線がまず表側ハーフカット線６１Ｌに到達する。切断中の開封線が表側ハーフカット線６１Ｌのうち上側に進行し、表側ハーフカット線６１Ｌと表側ハーフカット線６１Ｃとの交点に到達すると、切断中の開封線は、表側ハーフカット線６１Ｃの上側部分を進行する。その後、切断中の開封線は、表側ハーフカット線６１Ｃと表側ハーフカット線６１Ｒとの交点に到達し、表側ハーフカット線６１Ｒの上側部分を進行して、右側縁ＥＲ側に向けて進行する。そのため、表側フィルムの引き裂かれた開封線は、表側ハーフカット線６１Ｃの部分が表側ハーフカット線６１Ｌ，６１Ｒよりも上側に突出した状態を呈する。
【０１５９】
一方、切断中の開封線が表側ハーフカット線６１Ｌのうち下側に進行し、表側ハーフカット線６１Ｌと表側ハーフカット線６１Ｃとの交点に到達すると、切断中の開封線は、表側ハーフカット線６１Ｃの下側部分を進行する。その後、切断中の開封線は、表側ハーフカット線６１Ｃと表側ハーフカット線６１Ｒとの交点に到達し、表側ハーフカット線６１Ｒの下側部分を進行して、右側縁ＥＲ側に向けて進行する。そのため、表側フィルムの引き裂かれた開封線は、表側ハーフカット線６１Ｃの部分が表側ハーフカット線６１Ｌ，６１Ｒよりも下側に窪んだ状態を呈する。
【０１６０】
第１５実施形態に係る包装袋Ｏでも、第１４実施形態に係る包装袋Ｎと同様の作用効果を奏する。
【０１６１】
＜他の実施形態＞
以上、本開示に係る実施形態について詳細に説明したが、本発明の要旨の範囲内で種々の変形を上記の実施形態に加えてもよい。例えば、上記の各実施形態では４方シール袋であったが、これに限られるものではなく、スタンディングパウチや、天部あるいは地部を折り返した３方シール袋などでもかまわない。左右のサイドシール部の設けられた袋であればよい。
【０１６２】
上記の各実施形態において、表側ハーフカット線は、環状を呈していれば、紡錘状、楕円形状及び菱形状以外の他の形状であってもよい。なお、表側ハーフカット線が紡錘状、楕円形状又は菱形状である場合には、表側フィルム１において、切断中の開封線が、表側ハーフカット線の上側と下側とに沿ってより進行しやすくなる。
【０１６３】
複数の表側ハーフカット線のうち一の表側ハーフカット線は、他の表側ハーフカット線と異なる形状又は大きさであってもよい。この場合、表側フィルム１及び裏側フィルム２の開封後の開封線のそれぞれを指で摘みやすくなる。
【符号の説明】
【０１６４】
１  表側フィルム
２  裏側フィルム
３  左サイドシール部（第１のシール部）
４  右サイドシール部（第２のシール部）
５  天シール部
６  底シール部
７，１７，２７，３７ａ，４７，５７，６１，６１Ｃ，６１Ｌ，６１Ｒ  表側ハーフカット線
８，１８，２８，３８，４８，５８，６２  裏側ハーフカット線
９，１９  引き裂き開始部
１０，１０ａ，１０ｂ，１１，１１ａ，１１ｂ，６４  ガイド用ハーフカット線
３７ｂ  中間ハーフカット線
６０  非シール部
６１ｃｕ，６１ｃｂ  基線部（第１の基線部）
６１ｄｕ，６１ｄｂ  基線部（第２の基線部）
６１ｅｕ  膨出部（第１の膨出部）
６１ｅｂ  膨出部（第２の膨出部）
６３，６３Ｌ，６３Ｒ  側縁ハーフカット線
１１０  積層フィルム
１０１  基材層
１０２  シーラント層
１０３  ハーフカット線
Ａ〜Ｏ  包装袋
ＥＬ  左側縁（第１の側縁）
ＥＲ  右側縁（第２の側縁）
【図１】
2016094248.tif 000003
【図２】
2016094248.tif 000004
【図３】
2016094248.tif 000005
【図４】
2016094248.tif 000006
【図５】
2016094248.tif 000007
【図６】
2016094248.tif 000008
【図７】
2016094248.tif 000009
【図８】
2016094248.tif 000010
【図９】
2016094248.tif 000011
【図１０】
2016094248.tif 000012
【図１１】
2016094248.tif 000013
【図１２】
2016094248.tif 000014
【図１３】
2016094248.tif 000015
【図１４】
2016094248.tif 000016
【図１５】
2016094248.tif 000017
【図１６】
2016094248.tif 000018